(57)【要約】  本発明の発光部品は、複数個の光電ユニット（３）と、少なくとも１つの光電ユニット（３）を収納するための複数個の凹部を具備する透明構造（７３）と、少なくとも２個の光電ユニット（３）を電気的に接続する導電部品（７５）とを含む。
2015525001.tif 000002
【特許請求の範囲】
【請求項１】
発光部品であって、
複数個の光電ユニットと、
少なくとも１つの光電ユニットを収納するための複数個の凹部を具備する透明構造と、
少なくとも２個の光電ユニットを電気的に接続する導電部品とを含む発光部品。
【請求項２】
前記導電部品は、２つの前記凹部の間の前記透明構造上に位置する中間部分を具備する請求項１に記載の発光部品。
【請求項３】
前記透明構造は有機材料、無機材料又はこれらの組合せを含む請求項１に記載の発光部品。
【請求項４】
前記透明構造は可撓性を具備する請求項１に記載の発光部品。
【請求項５】
前記透明構造の溶解温度は前記発光部品の作動温度より高い請求項１に記載の発光部品。
【請求項６】
前記透明構造は凸部を具備する粗い表面を含み、該凸部は前記複数個の光電ユニットのうち１つの光電ユニットに対応する請求項１に記載の発光部品。
【請求項７】
前記透明構造上に位置する支持構造を更に含む請求項１に記載の発光部品。
【請求項８】
前記支持構造は一種又は複数種の透明材料を含む請求項７に記載の発光部品。
【請求項９】
前記支持構造は前記透明構造の硬度より硬い硬度を具備する請求項７に記載の発光部品。
【請求項１０】
前記支持構造の厚さは１００μｍ〜７００μｍの間にある請求項７に記載の発光部品。
【請求項１１】
前記支持構造は粗い表面を具備する請求項７に記載の発光部品。
【請求項１２】
前記支持構造が具備する凸部は、前記複数個の光電ユニットのうち１つの光電ユニットに対応する請求項７に記載の発光部品。
【請求項１３】
２つの前記凹部の間の前記透明構造上に位置する反射層を更に含む請求項１に記載の発光部品。
【請求項１４】
前記透明構造の一側に位置する第一端点及び第二端点を更に含む請求項１に記載の発光部品。
【請求項１５】
前記光電ユニットの表面上に形成される第一波長変更材料を更に含む請求項１に記載の発光部品。
【請求項１６】
前記第一波長変更材料は黄色蛍光粉末を含む請求項１５に記載の発光部品。
【請求項１７】
前記光電ユニットの他の表面上に形成される第二波長変更材料を更に含み、該第二波長変更材料と前記第一波長変更材料は相違している請求項１５に記載の発光部品。
【請求項１８】
前記透明構造と前記複数個の光電ユニットを収納するライトバーを更に含む請求項１に記載の発光部品。
【請求項１９】
前記光電ユニットは前記発光部品の中心軸に平行である出射面を具備する請求項１８に記載の発光部品。
【請求項２０】
前記光電ユニットは前記発光部品の中心軸に垂直である出射面を具備する請求項１８に記載の発光部品。
【請求項２１】
前記ライトバーは粗い表面を含む請求項１８に記載の発光部品。
【請求項２２】
前記ライトバー内には空気、透明材料又はこの２つの組合せが注入される請求項１８に記載の発光部品。
【請求項２３】
前記ライトバーと前記複数個の光電ユニットとの間或いは該ライトバー上に形成される波長変更材料を更に含む請求項１８に記載の発光部品。
【請求項２４】
前記ライトバーの形状は、葉っぱ状、花弁状、樹枝状、葉脈状、円柱状、Ｕ形又は円弧形である請求項１８に記載の発光部品。
【請求項２５】
一個又は複数個のライトバーを覆うカバーを更に含み、該カバーはガラス或いはプラスチックを含む請求項１８に記載の発光部品。
【請求項２６】
前記ライトバーは斜視図で円錐状に配列される請求項２４に記載の発光部品。
【請求項２７】
電気回路基板及び複数個のソケットを更に含み、該ソケットは傾斜する上表面を具備する請求項２４に記載の発光部品。
【請求項２８】
前記複数個のソケットは多角形に配列される請求項２７に記載の発光部品。
【発明の詳細な説明】
【技術分野】
【０００１】
本発明は、発光部品に関し、特に複数の発光ユニットと少なくとも１つの発光ユニットを収納するための複数の凹部を有する透明構造とを含む発光部品に関するものである。
【背景技術】
【０００２】
白熱電球は通常住宅又はオフィスの光源として使われているが、白熱電球に入力される９０％のエネルギーが熱又は赤外線に変換されとき大きな損失が生じるので、白熱電球の発光効率が低下する。白熱電球の代りに電球形蛍光灯（Compact  Fluorescent  Light、ＣＦＬ）を用いることにより、電気エネルギーを光エネルギーに変換する効率を有効に向上させることができるが、ＣＦＬが含有している有毒材料が環境汚染の原因になるおそれがある。電球の効率を向上させるため、固定部品を採用することもできる。例えば、発光ダイオード（ＥＬＤ）を光源にすることができる。
【０００３】
発光ダイオード（ＥＬＤ）は固定半導体部品である。発光ダイオード（ＥＬＤ）の構造はｐ型半導体層、ｎ型半導体層及び発光層を含み、この発光層はｐ型半導体層とｎ型半導体層との間に形成される。ＥＬＤの構造は、III−Ｖ族元素で構成される化合物半導体、例えばリン化ガリウム（ＧａＰ）、ヒ化ガリウム（ＧａＡｓ）、窒化ガリウム（ＧａＮ）を含む。ＥＬＤの発光原理は、電場の作用により、ｎ型半導体層が提供する電子とｐ型半導体層が提供する正孔とがｐ−ｎ接合面付近で複合することにより、電気エネルギーを光エネルギーに変換することである。
【発明の概要】
【課題を解決するための手段】
【０００４】
本発明の発光部品は、複数個の光電ユニットと、少なくとも１つの光電ユニットを収納するための複数個の凹部を具備する透明構造と、少なくとも２個の光電ユニットを電気的に接続する導電部品とを含む。
【図面の簡単な説明】
【０００５】
【図１Ａ】本発明の実施例に係る光電ユニットを示す断面図である。
【図１Ｂ】接続パッドが示されていない図１Ａの発光ユニットを示す平面図である。
【図１Ｃ】図１Ａの発光ユニットを示す平面図である。
【図２Ａ】本発明の実施例に係る光電ユニットを示す断面図である。
【図２Ｂ】図２Ａの発光ユニットを示す平面図である。
【図３Ａ】本発明の実施例に係る光電ユニットを示す断面図である。
【図３Ｂ】図３Ａの発光ユニットを示す平面図である。
【図４Ａ】本発明の実施例に係る光電部品の製造方法を示す図である。
【図４Ｂ】本発明の実施例に係る光電部品の製造方法を示す図である。
【図４Ｃ】本発明の実施例に係る光電部品の製造方法を示す図である。
【図５Ａ】本発明の実施例に係る光電部品の断面を示す図である。
【図５Ｂ】本発明の実施例に係る光電部品の断面を示す図である。
【図５Ｃ】本発明の実施例に係る光電部品の断面を示す図である。
【図６Ａ】本発明の実施例に係る複数個の光電部品を含む発光部品を示す図である。
【図６Ｂ】図６Ａ中の発光部品のＸ−Ｘ’線に沿う断面を示す図である。
【図６Ｃ】図６Ａ中の発光部品のＸ−Ｘ’線に沿う断面を示す図である。
【図６Ｄ】図６Ａ中の発光部品のＸ−Ｘ’線に沿う断面を示す図である。
【図６Ｅ】本発明の実施例に係る複数個の光電部品を含む発光部品を示す図である。
【図７】本発明の実施例に係る電球を示す図である。
【図８Ａ】本発明の実施例に係る発光部品の製造方法を示す図である。
【図８Ｂ】本発明の実施例に係る発光部品の製造方法を示す図である。
【図９Ａ】本発明の実施例に係る発光部品の製造方法を示す図である。
【図９Ｂ】本発明の実施例に係る発光部品の製造方法を示す図である。
【図１０Ａ】本発明の実施例に係る発光部品の製造方法を示す図である。
【図１０Ｂ】本発明の実施例に係る発光部品の製造方法を示す図である。
【図１１Ａ】本発明の実施例に係る発光部品の製造方法を示す図である。
【図１１Ｂ】本発明の実施例に係る発光部品の製造方法を示す図である。
【図１１Ｃ】本発明の実施例に係る発光部品の製造方法を示す図である。
【図１１Ｄ】本発明の実施例に係る発光部品の製造方法を示す図である。
【図１２Ａ】本発明の実施例に係る発光部品の製造方法を示す図である。
【図１２Ｂ】本発明の実施例に係る発光部品の製造方法を示す図である。
【図１３Ａ】本発明の実施例に係る発光部品の製造方法を示す図である。
【図１３Ｂ】本発明の実施例に係る発光部品の製造方法を示す図である。
【図１４Ａ】本発明の実施例に係る発光部品の製造方法を示す図である。
【図１４Ｂ】本発明の実施例に係る発光部品の製造方法を示す図である。
【図１５】本発明の実施例に係る発光部品の製造方法を示す図である。
【図１６】本発明の実施例に係る発光部品の製造方法を示す図である。
【図１７】本発明の実施例に係る発光部品の製造方法を示す図である。
【図１８】本発明の実施例に係る光電部品の包装を示す平面図である。
【図１９】本発明の実施例に係る蛍光灯の断面を示す図である。
【図２０Ａ】本発明の実施例に係るライトバーを示す拡大斜視図である。
【図２０Ｂ】本発明の実施例に係るライトバーを示す拡大斜視図である。
【図２１Ａ】本発明の実施例に係る発光部品の断面を示す図である。
【図２１Ｂ】本発明の実施例に係る発光部品の断面を示す図である。
【図２２Ａ】本発明の実施例に係るライトバーを示す斜視図である。
【図２２Ｂ】本発明の実施例に係るライトバーを示す斜視図である。
【図２３】本発明の実施例に係る電燈を示す斜視図である。
【図２４】本発明の実施例に係る電燈を示す斜視図である。
【図２５】本発明の実施例に係る電燈を示す斜視図である。
【発明を実施するための形態】
【０００６】
本発明の前述及び後述する特徴及び発明の効果をより詳細に示すため、以下の好適な実施例及びこの図面により、本発明をより詳細に説明する。図面及び明細書において、類似又は同様する構造に対して同様な符号を採用し、図面において、各部品の形状又は厚さなどを拡大するか或いは縮小することができる。注意されたいことは、図面に示されていないか部品は、当業者が常用する部品であることができることである。
【０００７】
図１Ａは、本発明の実施例に係る光電ユニット１を示す断面図である。光電ユニット１は、面積が５０ｍｉｌ２より小さい底面Ｓ１を具備する。例えば、面積が４ｍｉｌ＊６ｍｉｌであるか或いは２ｍｉｌ＊５ｍｉｌである底面Ｓ１を具備する。光電ユニット１は、基板１０１と、この基板１０１上に形成される発光構造１０２とを含む。発光構造１０２は、第一導電性を有する第一半導体層１０２ａと、第二導電性を有する第二半導体層１０２ｃと、第一半導体層１０２ａと第二半導体層１０２ｃとの間に形成される発光層１０２ｂとを含む。第一半導体層１０２ａと第二半導体層１０２ｃはそれぞれ電子、正孔を提供し、この電子、正孔は電流の作用によって発光層１０２ｂで結合するとともに発光する。発光構造１０２の材料は、III−Ｖ族半導体材料を含む。発光層１０２ｂの材料により、光電ユニット１は赤色光、緑色光又は青色光を放射することができる。透明導電層１０８が発光構造１０２の第二半導体層１０２ｃ上に形成されていることにより、電流を拡散させることができる。透明導電層１０８は導電材料で構成される。例えば、酸化インジウムスズ（ＩＴＯ）、酸化カドミウムスズ（ＣＴＯ）、アンチモンドープ酸化スズ、酸化インジウムスズ、アルミニウムドープ酸化亜鉛又は亜鉛スズ酸化物である。第一接続パッド１０４は、保護層１０３上に形成され、かつ第一半導体層１０２ａに電気的に接続されている。第二接続パッド１０５は、発光構造１０２上に形成され、かつ透明導電層１０８によって第二半導体層１０２ｃに電気的に接続されている。保護層１０３は、発光構造１０２の一個又は複数個の表面上に形成され、かつ一種又は複数種の誘電材料で構成される。例えば、二酸化ケイ素又は窒化ケイ素で構成される。保護層１０３は、第一接続パッド１０４と第二接続パッド１０５とを電気的に分離し、第一接続パッド１０４と第二接続パッド１０５とが透明導電層１０８によって短絡になることを避けることができる。図１Ｂは図１Ａの発光ユニット１を示す平面図であり、図１Ｂには第一接続パッド１０４と第二接続パッド１０５が示されていない。図１Ｃは図１Ａの発光ユニット１を示す平面図である。第一接続パッド１０４の上表面１０４Ｓと第二接続パッド１０５の上表面１０５Ｓとを含む総面積は少なくとも、光電ユニット１の底面Ｓ１の面積の３０％以上である。
【０００８】
図２Ａは、本発明の実施例に係る光電ユニット２を示す断面図である。光電ユニット２は、面積が５０ｍｉｌ２より小さい底面Ｓ１を具備する。例えば、面積が４ｍｉｌ＊６ｍｉｌであるか或いは２ｍｉｌ＊５ｍｉｌである底面Ｓ１を具備する。図２Ａを参照すると、図２Ａの光電ユニット２と図１Ａの光電ユニット１が類似しているが、図２Ａの光電ユニット２が第一延伸パッド２０４、第二延伸パッド２０５及び保護層２０３を更に含むことを分かることができる。第一延伸パッド２０４及び第二延伸パッド２０５は、それぞれ第一接続パッド１０４と第二接続パッド１０５上に形成され、かつ互いに電気的に接続されている。保護層２０３は、一種又は複数種の誘電材料例えば二酸化ケイ素又は窒化ケイ素で構成され、かつ第一延伸パッド２０４と第二延伸パッド２０５とを電気的に分離することに用いられる。図２Ｂは図２Ａの発光ユニット２を示す平面図である。第一延伸パッド２０４の上表面２０４Ｓは第一接続パッド１０４の上表面１０４Ｓより大きい。第二延伸パッド２０５の上表面２０５Ｓは第二接続パッド１０５の上表面１０５Ｓより大きい。第一延伸パッド２０４の上表面２０４Ｓと第二延伸パッド２０５の上表面２０５Ｓとを含む総面積は少なくとも、光電ユニット２の底面Ｓ１の面積の５０％以上である。
【０００９】
図３Ａは、本発明の実施例に係る光電ユニット３を示す断面図である。光電ユニット３は、面積が５０ｍｉｌ２より小さい底面Ｓ１を具備する。例えば、面積が４ｍｉｌ＊６ｍｉｌであるか或いは２ｍｉｌ＊５ｍｉｌである底面Ｓ１を具備する。図３Ａを参照すると、光電ユニット３は、基板１０１とこの基板１０１上に形成される発光構造１０２とを含む。発光構造１０２の材料は、III−Ｖ族半導体材料を含む。発光構造１０２は、第一導電性を有する第一半導体層１０２ａと、第二導電性を有する第二半導体層１０２ｃと、第一半導体層１０２ａと第二半導体層１０２ｃとの間に形成される発光層１０２ｂとを含む。発光層１０２ｂの材料により、光電ユニット３は赤色光、緑色光又は青色光を放射することができる。第一半導体層１０２ａと第二半導体層１０２ｃはそれぞれ電子、正孔を提供し、この電子、正孔は電流の作用によって発光層１０２ｂで結合するとともに発光する。光電ユニット３は、発光構造１０２の一個又は複数個の表面上に形成される保護層１０３を更に含む。この保護層１０３は、一種又は複数種の誘電材料、例えば二酸化ケイ素又は窒化ケイ素で構成される。透明導電層１０８が発光構造１０２の第二半導体層１０２ｃ上に形成されていることにより、電流を拡散させることができる。透明導電層１０８は導電材料で構成される。例えば、酸化インジウムスズ（ＩＴＯ）、酸化カドミウムスズ（ＣＴＯ）、アンチモンドープ酸化スズ、酸化インジウムスズ、アルミニウムドープ酸化亜鉛又は亜鉛スズ酸化物である。第一電極パッド３０４と第二電極パッド３０５は、基板１０１の同一側に形成され、かつそれぞれ第一半導体層１０２ａと第二半導体層１０２ｃに電気的に接続される。第一電極パッド３０４と第二電極パッド３０５は、保護層１０３によって電気的に分離される。図３Ｂは、図３Ａの発光ユニット３を示す平面図である。第一電極パッド３０４の上表面３０４Ｓと第二電極パッド３０５の上表面３０５Ｓとを含む総面積は少なくとも、光電ユニット３の底面Ｓ１の面積の５０％以上である。
【００１０】
図１Ｃに示すとおり、第一接続パッド１０４及び第二接続パッド１０５を、外部電源（図示せず）と電気接続する電気接続回路にすることができる。図２Ｂに示される第一延伸パッド２０４及び第二延伸パッド２０５と、図３Ｂに示される第一電極パッド３０４及び第二電極パッド３０５ともそれぞれ、第一接続パッド１０４及び第二接続パッド１０５のような機能を奏することができる。第一接続パッド１０４を例にする場合、第一接続パッド１０４の上表面１０４Ｓが充分な面積を有すれば、光電ユニット１を容易に外部構造に電気的に接続させるか或いは外部構造の位置に合わせることができる。この外部構造は、例えば外部電源である。第一延伸パッド２０４が第一接続パッド１０４上に形成されることにより接触面積を拡大することができる。例えば、上表面２０４Ｓの面積を拡大することにより、これが光電ユニット１、光電ユニット２に対する位置誤差許容範囲を増加させることができる。したがって、第一電極パッド３０４の上表面３０４Ｓの面積は第一延伸パッド２０４の上表面２０４Ｓの面積に接近し、かつ第二電極パッド３０５の上表面３０５Ｓの面積は第二延伸パッド２０５の上表面２０５Ｓの面積に接近することができる。
【００１１】
図４Ａ〜図４Ｃは、本発明の実施例に係る光電部品４の製造方法を示す図である。図４Ａを参照すると、複数個の光電ユニットを、例えば一種又は複数種の前記光電ユニット１、２、３を暫時載置板１０’上に形成する。暫時載置板１０’の材料は導電材料及び絶縁材料のうちいずれか一種を含むことができる。導電材料は、炭素含有材料、複合材料、金属、半導体又はこれらの組合せを含む。炭素含有材料は、例えばダイヤモンド、ダイヤモンドライクカーボン、石墨又は炭素繊維である。複合材料は、例えば金属基複合材料（Metal  Matrix  Composite、（ＭＭＣ））、セラミック基複合材料（Ceramic  Matrix  Composite、（ＣＭＣ））及び／或いは高分子基複合材料（Polymer  Matrix  Composite、（ＰＭＣ））である。半導体は、例えばケイ素、セレン化亜鉛、ヒ化ガリウム、炭化ケイ素、リン化ガリウム、ガリウム砒素リン、リン化インジウム、没食子酸リチウム又はアルミン酸リチウムである。金属は、例えばニッケル、銅又はアルミニウムである。絶縁材料は、有機材料、無機材料又はこれらの組合せを含む。有機材料は、例えばエポキシ（Epoxy）、ポリイミド（ＰＩ）、ベンゾシクロブテン（ＢＣＢ）、パーフルオロシクロブタン（ＰＦＣＢ）、Ｓｕ８、アクリル樹脂（acrylic  resin）、ポリメタクリル酸メチル（ＰＭＭＡ）、ポリエチレンテレフタラート（ＰＥＴ）、ポリカーボネート（ＰＣ）、ポリエーテルイミド（polyetherimide）又はフルオロカーボン重合体（fluorocarbon  polymer）である。無機材料は、例えばサファイア、酸化亜鉛、ダイヤモンド、ガラス、石英又はチッ化アルミである。
【００１２】
光電ユニット３を例にする場合、更に提供する連結層１２で複数個の光電ユニット３を暫時載置板１０’上に連結することができる。各光電ユニット３は、第一電極パッド３０４及び第二電極パッド３０５を具備する発光ダイオード（ＬＥＤ）チップを含むことができる。連結層１２は１つ又は複数の粘着材料を含む。粘着材料は、絶縁材料、ＵＶテープ又は熱剥離テープ（thermal  release  tape）である。絶縁材料は、ベンゾシクロブテン（ＢＣＢ）、Ｓｕ８、エポキシ又はスピンオンガラス（ＳＯＧ）を含むことができるが、本発明はこれらに限定されるものではない。
【００１３】
上述したステップが行った後、図４Ｂに示すとおり、光電ユニット３は第一支持構造１６に包装（encapsulated）される。第一支持構造１６は透明構造であり、主に一種又は複数種の有機材料又は無機材料で構成される。有機材料は、エポキシ（Epoxy）、ポリイミド（ＰＩ）、ベンゾシクロブテン（ＢＣＢ）、パーフルオロシクロブタン（ＰＦＣＢ）、Ｓｕ８、アクリル樹脂（acrylic  resin）、ポリメタクリル酸メチル（ＰＭＭＡ）、ポリエチレンテレフタラート（ＰＥＴ）、ポリカーボネート（ＰＣ）、ポリエーテルイミド（polyetherimide）又はフルオロカーボン重合体（fluorocarbon  polymer）であることができる。無機材料は、ガラス、酸化アルミニウム、ＳＩＮＲ又はスピンオンガラス（ＳＯＧ）であることができる。前記有機材料又は無機材料を隣接する２つの光電ユニット３の間の空間１６ｔ中に充填することができる。光電ユニット３上に覆われる第一支持構造１６は、光電ユニット３を固定及び支持し、かつ光電ユニット３の機械的強度を向上させることができる。第一支持構造１６の表面Ｓ３は平坦な表面或いは粗い表面であることができる。第一支持構造１６上に第二支持構造１８を更に形成することにより、光電ユニット３及び第一支持構造１６に対する支持を強化することができる。第二支持構造１８は、透明構造であり、かつ第一支持構造１６と異なる材料を含むか或いは第一支持構造１６より硬い硬度を有する具備することができる。
【００１４】
図４Ｃに示すとおり、第一支持構造１６又は第二支持構造１８を形成した後、暫時載置板１０’及び連結層１２を除去することにより、複数個の光電ユニット３の一部分及び第一支持構造１６の一部分を露出させる。第二支持構造１８の反対側に位置する複数個の導電構造４０は、露出する光電ユニット３及び第一支持構造１６上に形成される。導電構造４０はそれぞれ、光電ユニット３の第一電極パッド３０４及び第二電極パッド３０５に電気的に接続される。各導電構造４０の上表面の面積（図示せず）は、図１Ｃ中の第一接続パッド１０４及び第二接続パッド１０５のうちいずれか１つより大きいか、或いは図２Ｂ中の第一延伸パッド２０４及び第二延伸パッド２０５のうちいずれか１つより大きいか或いは等しいか、或いは図３Ｂ中の第一電極パッド３０４及び第二電極パッド３０５のうちいずれか１つより大きいか或いは等しい。最後は、図４Ｃに示すとおり、開口１７に沿って切断することにより、分離された複数個の光電部品４を形成する。少なくとも光電部品４の長さ、幅及び／或いは面積と光電ユニット１、２又は３（の長さ、幅及び／或いは面積）は同じ個数になっている。
【００１５】
図５Ａは本発明の実施例に係る光電部品４ａの断面を示す図であり、この光電部品４ａは図４Ａ〜図４Ｃのステップで製造される。光電部品４ａは、光電ユニット１、光電ユニット１上に形成される第一支持構造１６及び第一支持構造１６上に形成される第二支持構造１８を含む。好ましい第一支持構造１６は、光電ユニット１を囲む形状に形成される。第一導電構造４０１及び第二導電構造４０２は、光電ユニット１上に形成され、かつそれぞれ光電ユニット１の第一接続パッド１０４及び第二接続パッド１０５に電気的に接続される。第一導電構造４０１の上表面４０１Ｓの面積は第一接続パッド１０４の上表面１０４Ｓの面積より大きく、かつ第二導電構造４０２の上表面４０２Ｓの面積は第二接続パッド２０４の上表面２０４Ｓの面積より大きい。発光構造１０２上に設けられる保護層１０３は、第一接続パッド１０４と第二接続パッド１０５を物理的に分離し、かつ発光構造１０２を保護する。反射層２８０は光電ユニット１及び第一支持構造１６上に形成される。反射層２８０は、一種又は複数種の反射材料で構成される。例えば、誘電材料のような二酸化ケイ素、窒化ケイ素又は金属酸化物、例えば二酸化チタン又は他の白色材料で構成される。本発明の実施例において、反射層２８０は単層又は積層であることができる。光電部品４ａと光電ユニット１の体積比は１．２：１〜１０：１の間にあり、好ましくは２：１〜５：１の間にある。第二支持構造１８は第一幅Ｗ１を具備する。光電ユニット１は第二幅Ｗ２を具備する。第一幅Ｗ１は第二幅Ｗ２より大きい。例えば、第一幅Ｗ１は第二幅Ｗ２の１．５倍である。第一接続パッド１０４と第二接続パッド１０５との間にある第一距離（ｄ１）は、第一導電構造４０１と第二導電構造４０２との間にある第三距離（ｄ３）より大きい。
【００１６】
図５Ｂは本発明の実施例に係る光電部品４ｂの断面を示す図であり、この光電部品４ｂは図４Ａ〜図４Ｃのステップで製造される。光電部品４ｂは、光電ユニット２、光電ユニット２上に形成される第一支持構造１６及び第一支持構造１６上に形成される第二支持構造１８を含む。第一支持構造１６は、光電ユニット２を囲む形状に形成されることができる。第一導電構造４０１及び第二導電構造４０２は、光電ユニット２上に形成され、かつそれぞれ光電ユニット２の第一延伸パッド２０４及び第二延伸パッド２０５に電気的に接続される。反射層２８０は光電ユニット２及び第一支持構造１６上に形成される。反射層２８０は、一種又は複数種の反射材料で構成される。例えば、誘電材料のような二酸化ケイ素、窒化ケイ素又は金属酸化物、例えば二酸化チタン又は他の白色材料で構成される。本発明の実施例において、反射層２８０は単層又は積層であることができる。第一導電構造４０１の上表面４０１Ｓの面積は第一延伸パッド２０４の上表面２０４Ｓの面積より大きく、かつ第二導電構造４０２の上表面４０２Ｓの面積は第二延伸パッド２０５の上表面２０５Ｓの面積より大きいか或いは等しい。光電部品４ｂと光電ユニット２の体積比は１．２：１〜１０：１の間にあり、好ましくは２：１〜５：１の間にある。第二支持構造１８は第一幅Ｗ１を具備し、光電ユニット２は第二幅Ｗ２を具備し、第一幅Ｗ１は第二幅Ｗ２より大きい。例えば、第一幅Ｗ１は第二幅Ｗ２の１．５倍である。第一接続パッド１０４と第二接続パッド１０５との間にある第一距離（ｄ１）は、第一延伸パッド２０４と第二延伸パッド２０５との間にある第二距離（ｄ２）より大きく、かつ第一導電構造４０１と第二導電構造４０２との間にある第三距離（ｄ３）より大きい。しかし、図５Ｂは本発明の例示に過ぎないものであるため、本発明がこれらに限定されるものではない。例えば、第二距離（ｄ２）は第三距離（ｄ３）より大きいか、小さいか或いは等しい。
【００１７】
図５Ｃは本発明の実施例に係る光電部品４ｃの断面を示す図であり、この光電部品４ｃは図４Ａ〜図４Ｃのステップで製造される。光電部品４ｃは、光電ユニット３、光電ユニット３上に形成される第一支持構造１６及び第一支持構造１６上に形成される第二支持構造１８を含む。光電ユニット３は第一支持構造１６に囲まれることができる。第一導電構造４０１及び第二導電構造４０２は、光電ユニット３上に形成され、かつそれぞれ第一電極パッド３０４及び第二電極パッド３０５に電気的に接続される。反射層２８０は光電ユニット３及び第一支持構造１６上に形成される。反射層２８０は、一種又は複数種の反射材料で構成される。例えば、誘電材料のような二酸化ケイ素、窒化ケイ素又は金属酸化物、例えば二酸化チタン又は他の白色材料で構成される。第一導電構造４０１の上表面４０１Ｓの面積は第一電極パッド３０４の上表面３０４Ｓの面積より大きく、かつ第二導電構造４０２の上表面４０２Ｓの面積は第二電極パッド３０５の上表面３０５Ｓの面積より大きいか或いは等しい。光電部品４ｃと光電ユニット３の体積比は１．２：１〜１０：１の間にあり、好ましくは２：１〜５：１の間にある。第二支持構造１８は第一幅Ｗ１を具備し、光電ユニット３は第二幅Ｗ２を具備する。第一幅Ｗ１は第二幅Ｗ２より大きく、例えば第一幅Ｗ１は第二幅Ｗ２の１．５倍である。第一電極パッド３０４と第二電極パッド３０５との間の第四距離ｄ４は、第一導電構造４０１と第二導電構造４０２との間にある第三距離ｄ３より大きいか或いは等しい。しかし、図５Ｃは本発明の例示に過ぎないものであるため、本発明がこれらに限定されるものではない。
【００１８】
図６Ａは、本発明の実施例に係る発光部品５ａを示す図である。発光部品５ａは支持構造５１を含む。本発明の実施例において、支持構造５１は、不透明構造であるか或いは可視光の分野において６０％以上の平均透光率、好ましくは７０％以上の平均透光率を具備する透明構造であることができる。透明構造の材料は、有機材料、無機材料又はこれらの組合せを含む。有機材料はプラスチックを含む。無機材料はガラス、石英、酸化アルミニウム、ダイヤモンド又はこれらの組合せを含む。他の実施例において、支持構造５１は可撓性構造であり、可撓性材料を含むことができる。例えば、可撓性ガラス又は可撓性プラスチック材料を含み、かつ所定の光線出射形状に応じて可撓性構造を任意の形状にすることができる。他の実施例において、支持構造５１は熱安定性及び耐熱性を具備する。支持構造５１の溶解温度は発光部品５ａの作動温度より高く、かつ発光部品５ａが作動するときに発生する熱によって支持構造５１は変形又は溶解されない。
【００１９】
上述した一個又は複数個の光電ユニット１、２、３又は光電部品４ａ、４ｂ、４ｃは、導電材料又は非導電材料によって支持構造５１上に形成され、さらに発光部品５ａに応用される。導電材料は、金属又は金属酸化物を含む。例えば、酸化インジウムスズ（ＩＴＯ）、酸化カドミウムスズ（ＣＴＯ）、アンチモンドープ酸化スズ、酸化インジウムスズ、アルミニウムドープ酸化亜鉛又は亜鉛スズ酸化物である。非導電材料は、エポキシ（Epoxy）、ポリイミド（ＰＩ）、ベンゾシクロブテン（ＢＣＢ）、パーフルオロシクロブタン（ＰＦＣＢ）、Ｓｕ８、ポリエチレンテレフタラート（ＰＥＴ）、ポリカーボネート（ＰＣ）、ポリエーテルイミド（polyetherimide）又はフルオロカーボン重合体（fluorocarbon  polymer）を含む。他の実施例において、光電ユニット１、２、３又は光電部品４ａ、４ｂ、４ｃは、異方性導電フィルム（Anisotropic  Conductive  Film、ＡＣＦ）によって支持構造５１上に形成されることができる。
【００２０】
支持構造５１が透明である場合、上述した一個又は複数個の光電ユニット１、２、３又は光電部品４ａ、４ｂ、４ｃは、図４Ａ〜図４Ｃのステップによって支持構造５１内に埋まる。他の実施例において、複数の溶接パッド、例えばスズ凸部を支持構造５１の上表面の所定の位置に予め形成し、上述した光電ユニット１、２、３又は光電部品４ａ、４ｂ、４ｃを反転させた後、これらの接続パッド、延伸パッド、電極パッド又は導電構造をそれぞれ複数の溶接パッド上に接続させることができる。
【００２１】
支持構造５１が不透明である場合、複数の溶接パッド、例えばスズ凸部を支持構造５１の上表面の所定の位置に予め形成し、上述した光電ユニット１、２、３又は光電部品４ａ、４ｂ、４ｃを反転させた後、これらの接続パッド、延伸パッド、電極パッド又は導電構造をそれぞれ複数の溶接パッド上に接続させることができる。
【００２２】
図６は光電ユニット３が支持構造５１内に埋まる例を示す図である。この実施例において、発光部品５ａは、支持構造５１内に埋まる複数個の光電ユニット３を含み、支持構造５１は、複数個の光電ユニット３を収納するための一個又は複数個の凹部（図示せず）を具備する透明構造である。図６Ａに示すとおり、導電部品５３で複数個の光電ユニット３を直列に接続することにより、電気的接続を形成する。導電部品５３の材料は金属である。導電部品５３は、支持構造５１の２つの凹部の間に設置される中間部分５３１を具備する。導電部品５３は、金属ケーブル、化学蒸着方法又は電着方法などで形成することができる。
【００２３】
上述した一個又は複数個の光電ユニット１、２、３を発光部品５ａに応用するとき、重要に応じて、第一導電構造及び第二導電構造を光電ユニット１、２又は３上に形成することにより、導電部品５３と光電ユニット１、２又は３との間の位置誤差許容範囲を増加させることができる。図６に示される実施例において、光電ユニット３は凹部内に形成され、第一導電構造５０１及び第二導電構造５０２はそれぞれ図３Ａの光電ユニット３の第一電極パッド３０４及び第二電極パッド３０５上に形成され、かつ導電部品５３によって形成された電気回路で、光電ユニット３上の第一導電構造５０１と他の光電ユニット３上の第二導電構造５０２とを電気的に接続させる。
【００２４】
上述した一個又は複数個の光電部品４ａ、４ｂ、４ｃを発光部品５ａに応用するとき、導電部品５３によって形成された電気回路で、図５Ａ〜図５Ｃ中の光電部品４ａ、４ｂ又は４ｃの第一導電構造４０１と他の光電部品４ａ、４ｂ又は４ｃの第二導電構造４０２とを電気的に接続させることができる。
【００２５】
上述したステップを行った後、導電部品５３によって形成された電気回路で、光電ユニット１、２、３又は光電部品４ａ、４ｂ、４ｃを電気的に接続させる。この電気回路は、支持構造５１の一側に設けられる第一端点５５及び第二端点５７を電気接続点にする。本実施例において、この２つの端点を「＋」及び「−」という符号で示し、これらを外部電源（図示せず）に電気的に接続させることができる。
【００２６】
図６Ｂは、光電ユニット３を具備する図６Ａ中の発光部品５ａのＸ−Ｘ’線に沿う断面を示す図である。透明構造、例えば連結層５２は波長変換材料を含む。例えば、支持構造５１と光電ユニット３との間に形成される黄色蛍光粉末又は染料を含む。図６Ｂに示されるとおり、導電部品５３は、上述した方法によって第一導電構造５０１と第二導電構造５０２上に形成されるとともに光電ユニット３に電気的に接続される。
【００２７】
本発明の実施例において、支持構造５１は、平坦な表面、例えば図６Ｂに示される表面Ｓ５を具備するか、或いは凸部を有する粗い表面、例えば図６Ｃに示される表面Ｓ７を具備するか、或いは曲面、例えば図６Ｄに示される表面Ｓ９を具備することができる。６Ｃに示すとおり、表面Ｓ７は鋸歯状である。図６Ｄに示すとおり、表面Ｓ９は半球形の形状を有する。
【００２８】
図６Ｅは、本発明の他の実施例に係る発光部品５ｃを示す図である。上述した一個又は複数個の光電ユニット１、２、３又は光電部品４ａ、４ｂ、４ｃを発光部品５ｃに応用することができる。光電ユニット３を例にする場合、発光部品５ｃが含む複数個の光電ユニット３は、導電部品５３によって直列、並列又はこれらの組合せに電気的に接続される。例えば、複数個の光電ユニット３を直列に接続することにより１つの直列回路を形成し、かつ２つ又は複数の直列回路を並列に接続することにより並列回路を形成する。図６Ｅに示すとおり、２つ又は複数の並列回路を再び直列に接続することもできる。具体的には、導電部品５３を各光電ユニット３の第一導電構造５０１と第二導電構造５０２に電気的に接続させる。したがって、複数個の光電ユニット３は導電部品５３によって互いに電気的に接続される。また、光電部品は、導電部品５３によって放熱の効果を奏することもできる。
【００２９】
以下の実施例において、複数個の光電ユニット３を例にして説明するが、本発明の目的はこれで本発明の範囲を限定するものではなく、他の例、例えば複数個の光電ユニット１、２或いは複数個の光電部品４ａ、４ｂ又は４ｃを本実施例に応用することもできる。この実施例において、複数個の光電ユニット３は互いに所定の距離を空けて配列され、かつ需要に応じて一組に配列することができる。光電ユニット３の間の距離は、変化するか或いは変化しないか或いはこれらの組合せであることができる。支持構造５１の周辺に接近する複数個の光電ユニット３の間の距離は、支持構造５１の中心に接近する複数個の光電ユニット３の間の距離より大きい。例えば、図６Ａ中の発光部品５ａ或いは図６Ｅ中の発光部品５ｃのとおりである。含まれる光電ユニット３の数量が多ければ多くほど、発光部品５ａ又は発光部品５ｃの輝度が高くなる。図６Ａ又は図６Ｅに示されるとおり、複数個の光電ユニット３は斜視図において所定の形状に配列される。例えば、葉の形状、線状、散布状又はこれらの組合せに配列されるが、本発明はこれらに限定されるものではない。本発明の実施例において、支持構造５１は、第一端点５５及び第二端点５７を具備する根部と、根部に連結されかつ第一方向に延伸する幹部と、幹部に連結されかつ１つの第一方向或いは複数の異なる第一方向に延伸する複数個の枝部とを含む。
【００３０】
本発明の発光部品５ａ又は発光部品５ｃは色々な用途を有している。例えば、これらを電球、緊急指示ランプ、カーランプ、ＰＡＲランプ、街路燈、地下鉄照明又は室内照明として応用することができる。図７は、本発明の実施例に係る電球６を示す図である。上述した一個又は複数個の発光部品５ａ及び発光部品５ｃを電球６に応用することができる。発光部品５ａを例にする場合、電球６は、発光部品５ａ、発光部品５ａに電気的に接続されるソケット６５、接触部６４及びカバー６２を含む。発光部品５ａは、散布状に配置されるか或いは線状に配列されるライトバーであることができる。散布状配置は、例えば葉っぱ状、花弁状、樹枝状、葉脈状、円柱状、Ｕ形又は円弧形であることができる。発光部品５ａはソケット６５に挿入される。ソケット６５が具備する電気回路は、発光部品を電源（図示せず）に電気的に接続させる。カバー６２の形状は、球形、管状又は蝋燭状を含む。カバー６２の形状として米国国家規格協会（American  National  Standards  Institute、ＡＮＳＩ）による規格を参照することもできる。例えば、Ａシリーズ（A  series）、Ｂシリーズ（B  series）、Ｓシリーズ（S  series）、Ｆシリーズ（F  series）及びＧシリーズ（G  series）である。カバー６２の材料はアラス又はプラスチックである。空気、透明材料又はこの２つの組合せをカバー６２内に注入することができる。接触部６４はネジ部６３とピン部６６を具備し、これらを交流電源（ＡＣ  power）（図示せず）と電気接続する両端にすることができる。ネジ部６３は、電球６をソケット（図示せず）挿入することに用いられる。ピン部６６は、規格電源ソケットに挿入されるとともに規格電源ソケットと電気接続する。例えば、Ｅ４０、Ｅ２７、Ｅ２６又はＥ１４の電源ソケットと電気接続することができる。接触部６４は駆動装置（図示せず）を収納し、この駆動装置は整流及び負荷保護に用いられる電気回路を具備する。
【００３１】
図８Ａ〜図８Ｂ、図９Ａ〜図９Ｂ、図１０Ａ〜図１０Ｂ、図１１Ａ〜図１１Ｄ、図１２Ａ〜図１２Ｂ、図１３Ａ〜図１３Ｂ、図１４Ａ〜図１４Ｂ、図１５は本発明の実施例に係る発光部品を示す図であり、図１６の発光部品７ｆ又は図１７の発光部品７ｇの製造方法を示す図である。図８Ａ〜図８Ｂ、図９Ａ〜図９Ｂ、図１０Ａ〜図１０Ｂ、図１１Ａ〜図１１Ｄ、図１２Ａ〜図１２Ｂ、図１３Ａ〜図１３Ｂ、図１４Ａ〜図１４Ｂ、図１５及び下記の実施例において光電ユニット３を例にして説明するが、上述した一種又は複数種の光電ユニット１、２又は光電部品４ａ、４ｂ、４ｃもそれらのステップに応用することができる。図８Ａは、複数個の光電ユニット３が暫時基板７０上に形成されることを示す平面図である。図８Ｂは、図８ＡのＹ−Ｙ’線に沿う断面を示す図である。図８Ａ及び図８Ｂに示されるとおり、第一電極パッド３０４及び第二電極パッド３０５を具備する複数個の光電ユニット３は、互いに第一間隔Ｐ１を空けて暫時基板７０上に形成されている。他の実施例において、光電ユニット３は、第一間隔Ｐ１を空けて成長基板（図示せず）上に成長することができる。提供する暫時載置板１００は、以下の搬送ステップにおいて光電ユニット３をこの暫時載置板１００上に搬送することに用いられる。具体的に、光電ユニット３を手動で選択するか或いは機械で選択した後、暫時載置板７０から暫時載置板１００の所定の位置まで搬送することができる。具体的に、光電ユニット３は、粘着層（図示せず）で暫時載置板１００上に搬送することもできる。また、光電ユニット３は１つずつ（one  by  one）又は複数ずつ（batch）搬送することができる。
【００３２】
図９Ａは、本発明の複数個の光電ユニット３が暫時載置板１００上に形成されることを示す平面図である。図９Ｂは、図９ＡのＺ−Ｚ’線に沿う断面を示す図である。図９Ｂは、光電ユニット３が暫時基板７０又は成長基板（図示せず）から暫時載置板１００に搬送されることを示す。暫時載置板１００は、上述した暫時載置板１０’の材料に類似する材料を含む。本実施例において、暫時載置板１００は、テープであり、光電ユニット３と連結可能な１つ又は複数の粘着材料を含む。第一電極パッド３０４及び第二電極パッド３０５を具備する光電ユニット３は、互いに第二間隔Ｐ２を空けて暫時基板７０上に形成されている。この第二間隔Ｐ２は第一間隔Ｐ１より大きい。すなわち、光電ユニット３を暫時載置板７０から暫時載置板１００に搬送するとき、隣接する２つの光電ユニット３の間の間隔が拡大される。
【００３３】
図１０Ａは、本発明の実施例に係る光電ユニット３を示す平面図である。第一電極パッド３０４及び第二電極パッド３０５を具備する光電ユニット３は、第一支持構造７３上に形成されている。図１０Ｂは、図１０ＡのＡ−Ａ’線に沿う断面を示す図である。第一支持構造７３は凹部を具備し、凹部を形成することにより少なくとも１つの光電ユニット３を収納することができる。光電ユニット３上に覆われる第一支持構造７３は、光電ユニット３を固定及び支持し、かつ光電ユニット３の機械的強度を向上させることができる。第一支持構造７３は透明構造であり、一種又は複数種の透明材料で構成されることができる。透明材料は、一種又は複数種の有機材料又は無機材料で構成される。有機材料は、エポキシ（Epoxy）、ポリイミド（ＰＩ）、ベンゾシクロブテン（ＢＣＢ）、パーフルオロシクロブタン（ＰＦＣＢ）、Ｓｕ８、アクリル樹脂（acrylic  resin）、ポリメタクリル酸メチル（ＰＭＭＡ）、ポリエチレンテレフタラート（ＰＥＴ）、ポリカーボネート（ＰＣ）、ポリエーテルイミド（polyetherimide）又はフルオロカーボン重合体（fluorocarbon  polymer）であることができる。無機材料は、ガラス、酸化アルミニウム、ＳＩＮＲ又はスピンオンガラス（ＳＯＧ）であることができる。図１０Ａに示されるとおり、波長変更層１１１は、各光電ユニット３を囲むように形成されている。他の実施例において、波長変更層１１１’は、長手状に形成され、かつ複数個の光電ユニット３を囲むように暫時載置板１００の一部分の表面１００Ｓ上に形成されることができる。他の実施例において、波長変更層は、複数個の光電ユニット３を囲むように暫時載置板１００の全表面１００Ｓ上に形成されることができる。
【００３４】
図１１Ａは、本発明の実施例に係る複数個の光電ユニット３を示す平面図である。光電ユニット３は、第一電極パッド３０４及び第二電極パッド３０５を具備し、かつ第二支持構造７１上に形成されている。図１１Ｂは、図１１ＡのＢ−Ｂ’線に沿う断面を示す図である。第二支持構造７１は、第一支持構造７３の材料と異なる材料を含むか、或いは第一支持構造７３の硬度より高い硬度を具備することができる。第二支持構造７１は一種又は複数種の透明材料を含むことができる。例えば、サファイア、ダイヤモンド、ガラス、エポキシ、石英、アクリル、酸化ケイ素、窒化アルミニウム、酸化亜鉛、ケイ素又はこれらの組合せを含むことができる。第二支持構造７１の厚さは１００μｍ〜７００μｍの間にある。第二支持構造７１は、光線に対して、例えば太陽光線又は光電部品が放射する光線に対して透明である。また、波長変更層１１１は各光電ユニット３を囲む。第二支持構造７１の少なくとも１つの表面は、図１１Ｂに示される表面Ｓ２のような平坦な表面であるか、或いは図１１Ｃに示される表面Ｓ４のような粗い表面であるか、或いは図１１Ｄに示される表面Ｓ６のような曲面であることができる。第二支持構造７１の表面Ｓ４は鋸歯状表面である。第二支持構造７１の表面Ｓ６が、各光電ユニット３に対応する複数個の湾曲突出部を具備することにより、光の取出しを増加させることができる。
【００３５】
図１２Ａは、本発明の実施例に係る複数個の光電ユニット３を示す平面図である。光電ユニット３は第二支持構造７１と第一支持構造７３に支持される。図１２Ｂに示すとおり、光電ユニット３を暫時載置板１００から取り出した後、第二支持構造７１と第一支持構造７３を反転させる。図１２Ｂは、図１２ＡのＣ−Ｃ’線に沿う断面を示す図である。
【００３６】
図１３Ａ及び図１４Ａは本発明の光電ユニット３を示す平面図である。光電ユニット３は導電部品７５によって互いに直列に接続される。他の実施例において、光電ユニット３は導電部品７５によって互いに並列に接続される（図示せず）ことができる。図１３Ｂ及び図１４Ｂはそれぞれ、図１３ＡのＤ−Ｄ’線に沿う断面と図１４ＡのＥ−Ｅ’線に沿う断面を示す図である。図１３Ａ及び図１４Ａに示すとおり、導電部品７５は、２つの光電ユニット３の間の第一支持構造７３上に設置される中間部分７５１を具備する。反射層１１５は、フォトリソグラフィ及びエッチング工程により光電ユニット３上に形成される。反射層１１５は一種又は複数種の反射材料で構成される。例えば、誘電材料のような二酸化ケイ素、窒化ケイ素又は金属酸化物、例えば二酸化チタン又は他の白色材料で構成される。本発明の実施例において、反射層１１５は単層又は積層であることができる。図１３Ａ〜図１３Ｂに示される第一支持構造７３の一部分の表面Ｓ８は反射層１１５に覆われており、反射層１１５に覆われていない第一支持構造７３の一部分の表面Ｓ９は波長変更層１１１’’に覆われている。第一支持構造７３において、反射層１１５及び波長変更層１１１’’に覆われていない一部分の表面Ｓ１０は導電部品７５に覆われている。反射層１１５は、２つの光電ユニット３の間の第一支持構造７３上に形成される。波長変更層１１１’’と波長変更層１１１の材料は同様であるか或いは相違することができる。導電部品７５は一種又は複数種の金属を含む。金属は、例えば銀、金、チタニウム又は銅である。
【００３７】
１４Ａ〜図１４Ｂに示される他の実施例において、第一支持構造７３の一部分の表面Ｓ８は反射層１１５に覆われており、かつ反射層１１５に覆われていない第一支持構造７３の一部分の表面Ｓ１０は導電部品７５に覆われている。
【００３８】
図８Ａ〜図８Ｂ、図９Ａ〜図９Ｂ、図１０Ａ〜図１０Ｂ、図１１Ａ〜図１１Ｄ、図１２Ａ〜図１２Ｂ、図１３Ａ〜図１３Ｂ、図１４Ａ〜図１４Ｂのステップを行った後、図１５に示されるとおり、複数個の光電ユニット３は導電部品７５によって互いに直列に接続される。他の実施例において、複数個の光電ユニット３は導電部品７５によって互いに並列に接続される（図示せず）ことができる。図１５に示すとおり、第一支持構造７３の同一側に形成される第一端点７６及び第二端点７８を電気接続点にする。他の実施例において、第一支持構造７３の両側に形成される第一端点７６及び第二端点７８を電気接続点にすることができる。第一端点７６及び第二端点７８を形成した後、導電部品７５によって互いに接続されている複数個の光電ユニット３は、図１６に示されるとおり複数個の発光部品７ｆに分離される。各発光部品７ｆ中の光電ユニット３の個数は、実際の需要に応じて調節することができる。各発光部品７ｆ中の光電ユニット３は、一列に配列されるか或いは複数の列に配列されることができる。図１６に示される複数個の光電ユニット３は２列に配列されている。発光部品７ｆは幅Ｗと長さＬを有し、この幅Ｗは例えば１００μｍ〜１０００μｍの間のある。長さＬは接続される光電ユニット３の個数によって決定され、接続される光電ユニット３の個数が多ければ多いほど、長さＬは長くなる。
【００３９】
本発明の他の実施例において、図１７に示すとおり、第一支持構造７３の両側に形成される第一端点７６及び第二端点７８を電気接続点にし、複数個の光電ユニット３を一列に配列することができる。発光部品７ｇは幅Ｗと長さＬを有し、この幅Ｗは例えば１００μｍ〜１０００μｍの間のある。長さＬは接続される光電ユニット３の個数によって決定され、接続される光電ユニット３の個数が多ければ多いほど、長さＬは長くなる。
【００４０】
発光部品７ｆ又は７ｇを色々な分野に使用することにより、例えば、電球、緊急指示ランプ、カーランプ、ＰＡＲランプ、街路燈、地下鉄照明又は室内照明に使用することにより、色々な形状に配置することができる。図７に示すとおり、発光部品７ｆ又は７ｇを電球６に応用することができる。具体的に、発光部品７ｆ又は７ｇを電球６のソケット６５に設けることができる。
【００４１】
本発明の他の実施例において、複数個の発光部品７ｆ又は７ｇは線状に配列され、互いに電気的に接続される。以下、発光部品７ｇを例にして説明する。図１８に示される発光部品７ｇは電気回路基板７２上、例えばＦＲ４又はＰＣＢ上に設けられる。一個又は複数個の発光部品７ｇと電気回路基板７２により１つの発光部品８０が構成される。電気回路基板７２は、複数個の電気接触点７９を含むことにより交流電源ＡＣ  power（図示せず）と電気接続する。発光部品７ｆ又は７ｇの第一端点７６及び第二端点７８は、電気回路基板７２上の電気接触点７９と電気接続することができる。
【００４２】
発光部品８０を蛍光灯８に応用することができる。図１９は蛍光灯８の断面を示す図である。蛍光灯８のサイズは規格の蛍光灯のサイズに類似しており、蛍光灯は例えばＴ５及びＴ８蛍光灯であることができる。蛍光灯８は少なくとも１つの発光部品８０を含み、この発光部品８０は接触部（図示せず）に接続される。接触部（図示せず）の内部に設けられる駆動装置は、電源（図示せず）に電気接続される。駆動装置（図示せず）の内部には、整流及び負荷保護に用いられる電気回路がある。
【００４３】
図２０Ａは、本発明の実施例に係るライトバー９０を示す拡大斜視図である。図２０Ａのライトバー９０は円柱形である。ライトバー９０は、スペース９０５、赤色光を放射する発光部品９０Ｒ及び白色光を放射する２個の発光部品９０Ｗを含む。発光部品９０Ｒ及び発光部品９０Ｗはスペース９０５の内部に設けられる。スペース９０５は矩形、円柱形、Ｕ形又は円弧形であることができる。スペース９０５内には空気又は透明媒体、例えばシリコーン又はエポキシ樹脂を注入することができる。実際の応用に応じて、発光部品９０Ｒ及び発光部品９０Ｗの個数を調整することにより所定の色温度を得ることができる。発光部品９０Ｒ及び発光部品９０Ｗは、中心軸（Ａ）の周囲に配置され、かつ互いに平行に配置される。図２０Ａ〜図２０Ｂにおいて光電ユニット３を例にして説明するが、上述した一個又は複数個の光電ユニット１、２又は光電部品４ａ、４ｂ、４ｃはいずれも、発光部品９０Ｒ及び発光部品９０Ｗに応用することができる。発光部品９０Ｒと発光部品９０Ｗの構造と、図１６〜図１７の発光部品７ｆ又は発光部品７ｇの構造とは、類似している。発光部品９０Ｒ又は発光部品９０Ｗは、直列に接続される複数個の光電ユニット３を含む。発光部品９０Ｒと発光部品９０Ｗの製造方法として、図８Ａ〜図８Ｂ、図９Ａ〜図９Ｂ、図１０Ａ〜図１０Ｂ、図１１Ａ〜図１１Ｄ、図１２Ａ〜図１２Ｂ、図１３Ａ〜図１３Ｂ、図１４Ａ〜図１４Ｂ、図１５、図１６、図１７のステップを参照することができる。本実施例において、発光部品９０Ｗは、藍色光を放射する複数個の光電ユニット３と、光電ユニット３上に直接設けられることにより藍色光を黄色光に変換する波長変換層とを含む。藍色光と黄色光が混合することにより白色光が形成される。ライトバー９０で光線を混合することができる。具体的に、発光部品９０Ｗが放射しかつ演色指数（ＣＲＩ）が８０より小さい白色光と発光部品９０Ｒが放射する赤色光とを混合することにより、演色指数（ＣＲＩ）が８０より大きい白色光を得ることができる。本実施例において、発光部品９０Ｒと発光部品９０Ｗが互いに分離されているので、発光部品９０Ｒと発光部品９０Ｗとの間の熱伝導を低減することができる。ライトバー９０の材料は、ガラス、シリコーン（silicone）、ポリメタクリル酸メチル（polymethyl  methacrylate、ＰＭＭＡ）、ポリウレタン（polyurethane）又はエポキシ（Epoxy）を含む。詳述すると、発光部品９０Ｒと発光部品９０Ｗが互いに分離されているので、発光部品９０Ｒと発光部品９０Ｗを１つの集積回路（ＩＣ  circuit）の２つのチャンネルでそれぞれ制御することができる。この２つのチャンネルは、発光部品９０Ｒと発光部品９０Ｗが同様な電流或いは異なる電流によって駆動されることを意味する。例えば、発光部品９０Ｗを３０ｍＡで駆動するとき、発光部品９０Ｒを３０ｍＡ又は２０ｍＡで駆動することができる。発光部品９０Ｒと発光部品９０Ｗが直列に接続されるとき、電気回路基板の電気回路を設けることにより、１つのチャンネルで制御することができる。この１つのチャンネルは、発光部品９０Ｒと発光部品９０Ｗが同様な電流によって駆動されることを意味する。例えば、発光部品９０Ｗを２０ｍＡで駆動するとき、発光��品９０Ｒも２０ｍＡで駆動することができる。
【００４４】
図２０Ｂは、本発明の他の実施例に係るライトバー９０を示す拡大斜視図である。本実施例において、ライトバー９０は、赤色光を放射する１つの発光部品９０Ｒと藍色光を放射する２個の発光部品９０Ｂを含む。波長変換材料と拡散粒子を含む膜層９０７は、ライトバー９０の内表面に形成される。他の実施例おいて、膜層９０７はライトバー９０の外表面に形成されることができる。波長変換材料は、発光部品９０Ｂが放射する藍色光を黄色光に変換し、かつ藍色光と黄色光を混合することにより白色光を形成する。拡散粒子は、藍色光、黄色光及び白色光を拡散することに用いられる。藍色光と黄色光が混合して形成された白色光は、８０より小さい演色指数（ＣＲＩ）を具備し、かつ発光部品９０Ｒが放射する赤色光と混合することにより、演色指数（ＣＲＩ）が８０より大きい白色光を形成することができる。本実施例において、膜層９０７に波長変換材料を含ませることにより、光線を変換するとともに光線を拡散することができる。
【００４５】
図２１Ａは発光部品９０Ｒの断面を示す図である。図２１Ａに示されるとおり、本実施例の発光部品９０Ｒの構造と図２０Ａの発光部品９０Ｒの構造は相違している。図２１Ａ〜図２１Ｂにおいて、複数個の光電ユニット３を例にして説明するが、この目的はこれで本発明の範囲を限定するものではない。他の実施例において、例えば、上述した一個又は複数個の光電ユニット１、２又は光電部品４ａ、４ｂ、４ｃも発光部品９０Ｒに応用することができる。図２１Ａに示されるとおり、発光部品９０Ｒは、電気回路基板９１上に位置する複数個の光電ユニット３と、複数個の光電ユニット３に位置することにより光線をガイドするとともに拡散するカバー９０３とを含む。図２０Ａの発光部品９０Ｒは、中心軸Ａに垂直である発射面（又は出射面、以下同様）Ｅ１を具備する。図２１Ａの発光部品９０Ｒは、図２０Ａの中心軸Ａに平行である発射面Ｅ２を具備する。図２１Ｂは、本発明の他の実施例に係る発光部品９０Ｒの断面を示す図である。図２１Ｂに示されるとおり、他の実施例に係るカバー９０３の側表面９０３１が粗い表面であることにより、光の取出しを増加させる。
【００４６】
図２２Ａは、本発明の実施例に係るライトバー９５を示す斜視図である。図２２Ａのライトバー９５はＵ形である。図２１Ａに示すとおり、ライトバー９５は、透明カバー９５１と、藍色光を放射しかつ透明カバー９５１に覆われる発光部品９０Ｂとを含む。図２２Ａ〜図２２Ｂにおいて、複数個の光電ユニット３を例にして説明するが、この目的はこれで本発明の範囲を限定するものではない。他の実施例において、例えば、上述した一個又は複数個の光電ユニット１、２又は光電部品４ａ、４ｂ、４ｃも発光部品９０Ｂに応用することができる。図２２Ａに示されるとおり、発光部品９０Ｂは複数個の光電ユニット３を含む。この複数個の光電ユニット３は、連結構造９５４例えばケーブルによって互いに直列に連結され、かつ可撓性透明基板９５３上に形成されている。本実施例において、湾曲形のライトバー９５は、藍色光を放射する発光部品９０Ｂ及び赤色光を放射する発光部品９０Ｒを含む。更なる膜層９５２は、透明カバー９５１の内表面又は外表面に形成されることできる。膜層９５２は波長変換材料と拡散粒子を含む。波長変換材料は、藍色光を黄色光に変換し、かつ藍色光と黄色光を混合することにより白色光を形成する。拡散粒子は、藍色光、黄色光及び白色光を拡散することに用いられる。藍色光と黄色光が混合して形成された白色光は、８０より小さい演色指数（ＣＲＩ）を具備し、かつ赤色光と混合することにより、演色指数（ＣＲＩ）が８０より大きい白色光を得ることができる。本実施例において、膜層９５２に波長変換材料を含ませることにより、光線を変換するとともに光線を拡散することができる。
【００４７】
図２２Ｂは、本発明の他の実施例に係るライトバー９５を示す斜視図である。図２２Ｂに示されるとおり、複数個の発光部品９０ＢをＵ形可撓性基板９５６上に設置することができる。可撓性基板９５６は発光部品９０Ｂと電気接続する電気回路（図示せず）を具備する。発光部品９０Ｂは複数個の光電ユニット、例えば前記光電ユニット３を含み、これらが互いに直列に接続された構造と図１６〜図１７の発光部品７ｇ又は７ｆの構造とは類似している。
【００４８】
図２３は、本発明の実施例に係る電燈２０を示す斜視図である。電燈２０２０は、Ｕ形に湾曲された３個のライトバー９５を含む。
【００４９】
図２４は、本発明の実施例に係る電燈１０を示す斜視図である。電燈１０は、カバー１０Ｓと、電気回路基板９１例えばＰＣＢ基板と、電気回路基板９１上に位置するとともに電気回路基板９１に電気的に接続される複数個のソケット９８と、それぞれ対応するソケット９８に連結される複数個のライトバー９０とを含む。複数個のライトバー９０は、三角形に配列されかつ互いに傾斜する。具体的に、複数個のライトバー９０は、斜視図における円錐状に配列される。ソケット９８が傾斜する上表面を具備するので、ライトバー９０を傾斜の上表面上に取り付けるとき傾斜状態に立てられる。したがって、ライトバー９０の上部分９０１は互いに近づいており、ライトバー９０の下部分９０２は互いに離れている。或いは、ライトバー９０の上部分９０１は互いに離れており、ライトバー９０の下部分９０２は互いに近づいている。本実施例において、複数個のライトバー９０は、多角形例えば四角形又は六角形に配列され、かつその上から光が出射することができる。複数個のライトバー９０は互いに平行に配列されてもよい。
【００５０】
図２５は、本発明の実施例に係る電燈３０を示す斜視図である。電燈３０は、蝋燭形のカバー３０１と、電気回路基板９１例えばＰＣＢ基板と、電気回路基板９１上に位置するとともに電気回路基板９１に電気的に接続される複数個のソケット９８と、それぞれ対応するソケット９８に連結されかつ白色光を放射する複数個の発光部品９０Ｗとを含む。複数個の発光部品９０Ｗは、三角形に配列されかつ互いに傾斜する。本実施例において、ソケット９８が傾斜する上表面を具備するので、発光部品９０Ｗを傾斜の上表面上に取り付けるとき傾斜状態に立てられる。したがって、発光部品９０Ｗの上部分は互いに近づいており、発光部品９０Ｗの下部分は互いに離れている。或いは、発光部品９０Ｗの上部分は互いに離れており、発光部品９０Ｗの下部分は互いに近づいている。本実施例において、複数個の発光部品９０Ｗは互いに平行に配列されてもよい。複数個の発光部品９０Ｗは、多角形例えば四角形又は六角形に配列され、かつその上から光が出射することができる。複数個の発光部品９０Ｗが互いに平行になるように配列してもよい。複数個の発光部品９０Ｗは互いに平行に配列されてもよい。本実施例において、発光部品９０Ｗの構造と図１６〜図１７の発光部品７ｇ又は７ｆの構造とは類似している。
【００５１】
以上、上述した本発明の好適な実施例により、本発明の技術的事項及び特徴を説明してきた。これは、当業者が本発明の内容を理解した上これを実施できるように説明するためであるが、上記の実施例で本発明の技術的範囲を限定する意図は毛頭ない。すなわち、本技術分野の当業者は本発明の要旨を逸脱しない範囲内で設計の変換等を行うことができる。例えば、電気接続方法が直列接続方法にのみ限定されるものではない。また、複数の実施例や変形例が示されている場合には、特に記載がなくとも、これらに跨がった構成の組合せのうちの可能なものが含まれることは当然である。
【００５２】
また、本技術分野の当業者は、実施例の色々な変形又は変換を本発明の要旨を逸脱しない範囲に応用することができる。上述したとり、各実施例に複数の構成が含まれている場合には、特に記載がなくとも、これらの構成の可能な組合せが含まれることは勿論である。
【符号の説明】
【００５３】
１、２、３  光電ユニット
１０’、１００  暫時載置板
１００Ｓ  表面
Ｓ１  底面
Ｓ２、Ｓ４、Ｓ６、Ｓ８、Ｓ１０  表面
１０１  基板
１０２ａ  第一半導体層
１０２ｂ  発光層
１０２ｃ  第二半導体層
１０３、２０３  保護層
１０４  第一接続パッド
１０４Ｓ、２０４Ｓ、３０４Ｓ、４０１Ｓ  上表面
１０５  第二接続パッド
１０５Ｓ、２０５Ｓ、３０５Ｓ、４０２Ｓ  上表面
１０８  透明導電層
１１１、１１１’、１１１’’  波長変換層
１１５、２８０  反射層
１２、５２  連結層
１６、７３  第一支持構造
１６ｔ  空間
１７  開口
１８、７１  第二支持構造
１０、２０、３０  電燈
２０４  第一延伸パッド
２０５  第二延伸パッド
３０４  第一電極パッド
３０５  第二電極パッド
４、４ａ、４ｂ、４ｃ  光電部品
４０  導電構造
４０１、５０１  第一導電構造
４０２、５０２  第二導電構造
５ａ、５ｃ、７ｆ、７ｇ、８０  発光部品
５１  支持構造
５３、７５  導電部品
５５、７６  第一端点
５７、７８  第二端点
Ｓ５、Ｓ７、Ｓ９  表面
６  電球
６２  カバー
６４  接触部
６３  ネジ部
６８、９８  ソケット
６６  ピン部
７０  暫時基板
７２、９１  電気回路基板
７５１  中間部分
７９  電気接触点
８  蛍光灯
９０、９５  ライトバー
９０Ｒ、９０Ｗ、９０Ｂ  発光部品
９０１  上部分
９０２  下部分
９０３、９５１  カバー
９０３１  側表面
９０５  スペース
９０７、９５２  膜層
９５３  透明基板
９５４  連結構造
９５６  可撓性基板
【図１Ａ】
2015525001.tif 000003
【図１Ｂ】
2015525001.tif 000004
【図１Ｃ】
2015525001.tif 000005
【図２Ａ】
2015525001.tif 000006
【図２Ｂ】
2015525001.tif 000007
【図３Ａ】
2015525001.tif 000008
【図３Ｂ】
2015525001.tif 000009
【図４Ａ】
2015525001.tif 000010
【図４Ｂ】
2015525001.tif 000011
【図４Ｃ】
2015525001.tif 000012
【図５Ａ】
2015525001.tif 000013
【図５Ｂ】
2015525001.tif 000014
【図５Ｃ】
2015525001.tif 000015
【図６Ａ】
2015525001.tif 000016
【図６Ｂ】
2015525001.tif 000017
【図６Ｃ】
2015525001.tif 000018
【図６Ｄ】
2015525001.tif 000019
【図６Ｅ】
2015525001.tif 000020
【図７】
2015525001.tif 000021
【図８Ａ】
2015525001.tif 000022
【図８Ｂ】
2015525001.tif 000023
【図９Ａ】
2015525001.tif 000024
【図９Ｂ】
2015525001.tif 000025
【図１０Ａ】
2015525001.tif 000026
【図１０Ｂ】
2015525001.tif 000027
【図１１Ａ】
2015525001.tif 000028
【図１１Ｂ】
2015525001.tif 000029
【図１１Ｃ】
2015525001.tif 000030
【図１１Ｄ】
2015525001.tif 000031
【図１２Ａ】
2015525001.tif 000032
【図１２Ｂ】
2015525001.tif 000033
【図１３Ａ】
2015525001.tif 000034
【図１３Ｂ】
2015525001.tif 000035
【図１４Ａ】
2015525001.tif 000036
【図１４Ｂ】
2015525001.tif 000037
【図１５】
2015525001.tif 000038
【図１６】
2015525001.tif 000039
【図１７】
2015525001.tif 000040
【図１８】
2015525001.tif 000041
【図１９】
2015525001.tif 000042
【図２０Ａ】
2015525001.tif 000043
【図２０Ｂ】
2015525001.tif 000044
【図２１Ａ】
2015525001.tif 000045
【図２１Ｂ】
2015525001.tif 000046
【図２２Ａ】
2015525001.tif 000047
【図２２Ｂ】
2015525001.tif 000048
【図２３】
2015525001.tif 000049
【図２４】
2015525001.tif 000050
【図２５】
2015525001.tif 000051
【国際調査報告】
2015525001.tif 000052
2015525001.tif 000053
2015525001.tif 000054
2015525001.tif 000055
2015525001.tif 000056
2015525001.tif 000057
2015525001.tif 000058
2015525001.tif 000059